(57)【要約】【課題】高トナー付着量が要求されるときに現像装置の駆動回転数又は画像形成動作の速度を通常と同じ速度に維持する構成と比較して、トナーの飛散を抑制する。【解決手段】画像形成装置１０は、異なる色のトナーを収容する現像装置１００を備え、異なる色のトナー像を形成する複数の単色ユニット２１と、現像装置１００にトナーを補給するトナー補給装置１５０と、を有する。画像形成装置１０では、複数の単色ユニット２１の少なくとも１つが高トナー付着量でトナー像を形成する高現像モードのときに、通常のトナー付着量でトナー像を形成する通常モード時に比べて現像装置１００の駆動回転数又は画像形成動作の速度を低速に変更する。【選択図】図１
2020046616.tif 000002
【特許請求の範囲】
【請求項１】
異なる色のトナーを収容する現像装置を備え、異なる色のトナー像を形成する複数の画像形成部と、
前記現像装置にトナーを補給する補給装置と、
複数の前記画像形成部の少なくとも１つが高トナー付着量でトナー像を形成する高現像モードのときに、通常のトナー付着量でトナー像を形成する通常モード時に比べて前記現像装置の駆動回転数又は画像形成動作の速度を低速に変更する速度変更手段と、
を有する画像形成装置。
【請求項２】
前記現像装置のトナー濃度を前記通常モードのトナー濃度よりも高い設定値に変更する濃度変更手段を備え、
前記濃度変更手段は、前記高現像モードのときに、前記現像装置のトナー濃度を前記高い設定値に変更する請求項１に記載の画像形成装置。
【請求項３】
前記速度変更手段は、前記高現像モードのときに、相対湿度に応じて前記現像装置の駆動回転数又は画像形成動作の速度を低速に変更する請求項１又は請求項２に記載の画像形成装置。
【請求項４】
前記速度変更手段は、前記高現像モードで前記相対湿度が第１閾値より小さいときに、前記現像装置の駆動回転数又は画像形成動作の速度を低速に変更しない請求項３に記載の画像形成装置。
【請求項５】
前記速度変更手段は、前記高現像モードのときに、現像剤の経時状況に応じて前記現像装置の駆動回転数又は画像形成動作の速度を低速に変更する請求項１又は請求項２に記載の画像形成装置。
【請求項６】
前記速度変更手段は、前記高現像モードで前記現像剤の寿命が第２閾値より長いときに、前記現像装置の駆動回転数又は画像形成動作の速度を低速に変更しない請求項５に記載の画像形成装置。
【請求項７】
前記通常モードから前記高現像モードに切り替えられたときに、前処理として前記現像装置にトナーを補給した後に、画像形成動作を行う請求項１から請求項６までのいずれか１項に記載の画像形成装置。
【請求項８】
前処理として前記現像装置にトナーを補給する前に、前記速度変更手段は、前記現像装置の駆動回転数又は画像形成動作の速度を低速に変更する請求項７に記載の画像形成装置。
【請求項９】
前記高現像モードから前記通常モードに切り替えられたときは、前記現像装置からのトナーの吐き出しによるトナー濃度調整を実行しない請求項７又は請求項８に記載の画像形成装置。
【請求項１０】
前記高現像モードから前記通常モードに切り替えられたときは、切り替え後の画像形成枚数が第３閾値以上となるまでは、前記現像装置の駆動回転数又は画像形成動作の速度を低速に維持して画像形成動作を行う請求項７から請求項９までのいずれか１項に記載の画像形成装置。
【請求項１１】
複数の前記画像形成部の少なくとも１つは、イエロー、マゼンタ、シアン、ブラック以外の特色のトナー像を形成する現像装置を備えた特色画像形成部であり、
前記速度変更手段は、前記特色画像形成部が高トナー付着量でトナー像を形成する前記高現像モードのときに、前記通常モード時に比べて前記現像装置の駆動回転数又は画像形成動作の速度を低速に変更する請求項１から請求項１０までのいずれか１項に記載の画像形成装置。
【請求項１２】
前記速度変更手段は、前記特色画像形成部の前記現像装置の駆動回転数のみを低速に変更する請求項１１に記載の画像形成装置。
【請求項１３】
コンピュータを、請求項１から請求項１２までのいずれか１項に記載の画像形成装置の前記速度変更手段として機能させるための速度制御プログラム。
【発明の詳細な説明】
【技術分野】
【０００１】
本発明は、画像形成装置及び速度制御プログラムに関する。
【背景技術】
【０００２】
下記特許文献１には、白トナー明度設定値に応じて、現像装置の現像剤のトナー濃度を変更して、現像装置の現像能力を調整するとともに、現像能力の調整時から積算された白トナー補給量と現像装置付近の絶対湿度とで定まる撹拌時間、撹拌手段により現像装置内の現像剤を撹拌する画像形成装置が開示されている。
【０００３】
下記特許文献２には、選択された記録媒体に応じて、トナー飛散を抑制するために現像装置内の劣化トナーを吐き出すためのトナー入れ替え動作を実施判断する画像形成装置が開示されている。
【先行技術文献】
【特許文献】
【０００４】
【特許文献１】特開２０１６−１１４９２３号公報
【特許文献２】特開２０１１−１１８３３２号公報
【発明の概要】
【発明が解決しようとする課題】
【０００５】
記録媒体への高トナー付着量が要求され、現像装置内のトナー濃度が高い状態で使用される際に、トナーの帯電量が低下することにより、トナーの飛散が発生することがある。
【０００６】
本発明は、高トナー付着量が要求されるときに現像装置の駆動回転数又は画像形成動作の速度を通常と同じ速度に維持する構成と比較して、トナーの飛散を抑制する画像形成装置を得ることが目的である。
【課題を解決するための手段】
【０００７】
第１の態様に係る画像形成装置は、異なる色のトナーを収容する現像装置を備え、異なる色のトナー像を形成する複数の画像形成部と、前記現像装置に前記トナーを補給する補給装置と、複数の前記画像形成部の少なくとも１つが高トナー付着量でトナー像を形成する高現像モードのときに、通常のトナー付着量でトナー像を形成する通常モード時に比べて前記現像装置の駆動回転数又は画像形成動作の速度を低速に変更する速度変更手段と、を有する。
【０００８】
第２の態様に係る画像形成装置は、第１の態様に記載の画像形成装置において、前記現像装置のトナー濃度を前記通常モードのトナー濃度よりも高い設定値に変更する濃度変更手段を備え、前記濃度変更手段は、前記高現像モードのときに、前記現像装置のトナー濃度を前記高い設定値に変更する。
【０００９】
第３の態様に係る画像形成装置は、第１の態様又は第２の態様に記載の画像形成装置において、前記速度変更手段は、前記高現像モードのときに、相対湿度に応じて前記現像装置の駆動回転数又は画像形成動作の速度を低速に変更する。
【００１０】
第４の態様に係る画像形成装置は、第３の態様に記載の画像形成装置において、前記速度変更手段は、前記高現像モードで前記相対湿度が第１閾値より小さいときに、前記現像装置の駆動回転数又は画像形成動作の速度を低速に変更しない。
【００１１】
第５の態様に係る画像形成装置は、第１の態様又は第２の態様に記載の画像形成装置において、前記速度変更手段は、前記高現像モードのときに、現像剤の経時状況に応じて前記現像装置の駆動回転数又は画像形成動作の速度を低速に変更する。
【００１２】
第６の態様に係る画像形成装置は、第５の態様に記載の画像形成装置において、前記速度変更手段は、前記高現像モードで前記現像剤の寿命が第２閾値より長いときに、前記現像装置の駆動回転数又は画像形成動作の速度を低速に変更しない。
【００１３】
第７の態様に係る画像形成装置は、第１の態様から第６の態様までのいずれか１つの態様に記載の画像形成装置において、前記通常モードから前記高現像モードに切り替えられたときに、前処理として前記現像装置にトナーを補給した後に、画像形成動作を行う。
【００１４】
第８の態様に係る画像形成装置は、第７の態様に記載の画像形成装置において、前処理として前記現像装置にトナーを補給する前に、前記速度変更手段は、前記現像装置の駆動回転数又は画像形成動作の速度を低速に変更する。
【００１５】
第９の態様に係る画像形成装置は、第７の態様又は第８の態様に記載の画像形成装置において、前記高現像モードから前記通常モードに切り替えられたときは、前記現像装置からのトナーの吐き出しによるトナー濃度調整を実行しない。
【００１６】
第１０の態様に係る画像形成装置は、第１の態様から第９の態様までのいずれか１つの態様に記載の画像形成装置において、前記高現像モードから前記通常モードに切り替えられたときは、切り替え後の画像形成枚数が第３閾値以上となるまでは、前記現像装置の駆動回転数又は画像形成動作の速度を低速に維持して画像形成動作を行う。
【００１７】
第１１の態様に係る画像形成装置は、第１の態様から第１０の態様までのいずれか１つの態様に記載の画像形成装置において、複数の前記画像形成部の少なくとも１つは、イエロー、マゼンタ、シアン、ブラック以外の特色のトナー像を形成する現像装置を備えた特色画像形成部であり、前記速度変更手段は、前記特色画像形成部が高トナー付着量でトナー像を形成する前記高現像モードのときに、前記通常モード時に比べて前記現像装置の駆動回転数又は画像形成動作の速度を低速に変更する。
【００１８】
第１２の態様に係る画像形成装置は、第１１の態様に記載の画像形成装置において、前記速度変更手段は、前記特色画像形成部の前記現像装置の駆動回転数のみを低速に変更する。
【００１９】
第１３の態様に係る速度制御プログラムは、  コンピュータを、第１の態様から第１２の態様までのいずれか１つの態様に記載の画像形成装置の前記速度変更手段として機能させる。
【発明の効果】
【００２０】
第１の態様に係る画像形成装置によれば、高トナー付着量が要求されるときに現像装置の駆動回転数又は画像形成動作の速度を通常と同じ速度に維持する構成と比較して、トナーの飛散が抑制される。
【００２１】
第２の態様に係る画像形成装置によれば、高トナー付着量が要求されるときにトナー濃度の設定値を変えない構成と比較して、画像形成枚数の低下が抑制される。
【００２２】
第３の態様に係る画像形成装置によれば、相対湿度に関係なく現像装置の駆動回転数又は画像形成動作の速度を低速に変更する構成と比較して、画像形成枚数の低下が抑制される。
【００２３】
第４の態様に係る画像形成装置によれば、相対湿度が低いときに現像装置の駆動回転数又は画像形成動作の速度を低速に変更する構成と比較して、画像形成枚数の低下が抑制される。
【００２４】
第５の態様に係る画像形成装置によれば、現像剤の経時状況に関係なく現像装置の駆動回転数又は画像形成動作の速度を低速に変更する構成と比較して、画像形成枚数の低下が抑制される。
【００２５】
第６の態様に係る画像形成装置によれば、現像剤の寿命が長いときに現像装置の駆動回転数又は画像形成動作の速度を低速に変更する構成と比較して、画像形成枚数の低下が抑制される。
【００２６】
第７の態様に係る画像形成装置によれば、現像装置にトナーを補給する前に画像形成動作を行う場合と比較して、画像形成枚数の低下が抑制される。
【００２７】
第８の態様に係る画像形成装置によれば、現像装置にトナーを補給する前には現像装置の駆動回転数又は画像形成動作の速度を変更しない構成と比較して、前処理でのトナーの飛散が抑制される。
【００２８】
第９の態様に係る画像形成装置によれば、高現像モードから通常モードに切り替えられたときに現像装置からのトナーの吐き出しを行う構成と比較して、無駄なトナー消費が抑制される。
【００２９】
第１０の態様に係る画像形成装置によれば、高現像モードから通常モードに切り替えられるのと同時に現像装置の駆動回転数又は画像形成動作の速度を通常の速度に戻す場合と比較して、トナーの飛散が抑制される。
【００３０】
第１１の態様に係る画像形成装置によれば、特色画像形成部によりトナー像を形成するときに現像装置の駆動回転数又は画像形成動作の速度を通常と同じ速度に維持する場合と比較して、特色トナーの飛散が抑制される。
【００３１】
第１２の態様に係る画像形成装置によれば、全色の画像形成動作を低速にする場合と比較して、画像形成枚数の低下が抑制される。
【００３２】
第１３の態様に係る画像形成装置によれば、高トナー付着量が要求されるときに現像装置の駆動回転数又は画像形成動作の速度を通常と同じ速度に維持する構成と比較して、トナーの飛散が抑制される。
【図面の簡単な説明】
【００３３】
【図１】一実施形態に係る画像形成装置を示す概略構成図である。
【図２】一実施形態に係る画像形成装置に用いられる現像装置を示す平面図である。
【図３】一実施形態に係る画像形成装置における電気系の要部構成の一例を示す図である。
【図４】一実施形態に係る画像形成装置の速度制御の流れを示すフローチャートである。
【図５】現像装置内のトナー濃度の違いによるトナーのクラウドグレードとピクセルカウントとの関係を示すグラフである。
【発明を実施するための形態】
【００３４】
以下、本発明を実施するための形態（以下、本実施形態という。）について説明する。以下の説明では、図面に矢印Ｘで示す方向を装置幅方向、矢印Ｙで示す方向を装置高さ方向とする。また、装置幅方向及び装置高さ方向のそれぞれに直交する方向（矢印Ｚ方向）を装置奥行き方向とする。
【００３５】
図１には、一実施形態に係る画像形成装置１０が示されている。まず、本実施形態の画像形成装置（図１参照）について説明する。次いで、現像装置１００及びトナー補給装置１５０について説明する。
【００３６】
＜画像形成装置の全体構成＞
図１に示されるように、画像形成装置１０は、記録媒体収容部１２と、トナー像形成部１４と、転写装置１６と、記録媒体搬送装置１８と、定着装置２０と、制御部７０と、を含んで構成される電子写真方式の装置である。
【００３７】
記録媒体収容部１２は、画像が形成される前の記録媒体の一例としての用紙Ｐを収容する機能を有する。図示を省略するが、記録媒体収容部１２は、複数の種類の用紙Ｐを収容する構成とされており、各種類の用紙Ｐがそれぞれ記録媒体搬送装置１８によって搬送されるようになっている。
【００３８】
トナー像形成部１４は、帯電、露光、現像の各工程を行って、転写装置１６を構成する後述する中間転写ベルト３０が保持するトナー像を形成する機能を有する。トナー像形成部１４は、一例として、それぞれ異なる色（Ｙ（イエロー）、Ｍ（マゼンタ）、Ｃ（シアン）、Ｋ（黒）、特色（ＣＴ））のトナーを用いて各感光体２２にトナー像を形成する単色ユニット２１Ｙ、２１Ｍ、２１Ｃ、２１Ｋ、２１ＣＴを備えている。また、トナー像形成部１４は、例えば、画像データに応じて、複数色で構成されるトナー像を形成可能とされている。特色（ＣＴ）のトナーは、Ｙ（イエロー）、Ｍ（マゼンタ）、Ｃ（シアン）、Ｋ（黒）以外の色のトナーである。特色（ＣＴ）のトナーとしては、例えば、白色（Ｗ）、クリア色（ＣＲ、透明色）、金色、銀色などのトナーなどが使用される。ここで、単色ユニット２１Ｙ、２１Ｍ、２１Ｃ、２１Ｋ、２１ＣＴは、画像形成部の一例である。さらに、特色の単色ユニット２１ＣＴは、特色画像形成部の一例である。
【００３９】
単色ユニット２１Ｙ、２１Ｍ、２１Ｃ、２１Ｋ、２１ＣＴは、それぞれが形成するトナー像の色以外は同様の構成とされている。以下、単色ユニット２１Ｙ、２１Ｍ、２１Ｃ、２１Ｋ、２１ＣＴ及びその構成要素を区別する必要がない場合、単色ユニット２１Ｙ、２１Ｍ、２１Ｃ、２１Ｋ、２１ＣＴのアルファベット（Ｙ、Ｍ、Ｃ、Ｋ、ＣＴ）を省略して説明する。各単色ユニット２１は、感光体２２と、帯電装置２４と、露光装置２６と、現像装置１００と、クリーニング装置２８と、を含んで構成されている。
【００４０】
転写装置１６は、各単色ユニット２１で形成された各色のトナー像を保持して、搬送される用紙Ｐに転写する機能を有する。転写装置１６は、中間転写ベルト３０と、５本の転写ロール３２と、駆動ロール３８と、二次転写部３６と、テンションロール３４と、を備えている。中間転写ベルト３０は、無端状とされている。５本の転写ロール３２は、それぞれ中間転写ベルト３０を挟んで各感光体２２とニップを形成している。中間転写ベルト３０は、駆動ロール３８により矢印方向に周回移動している。本実施形態では、一例として、中間転写ベルト３０の周回移動方向の上流側から下流側に向かって、単色ユニット２１ＣＴ、２１Ｙ、２１Ｍ、２１Ｃ、２１Ｋの順で配置されている。これにより、単色ユニット２１ＣＴ、２１Ｙ、２１Ｍ、２１Ｃ、２１Ｋで形成された感光体２２上のトナー像が、転写ロール３２により中間転写ベルト３０に重ねて転写されるようになっている。
【００４１】
二次転写部３６は、中間転写ベルト３０のトナー像が保持される面に接触する転写ロール５４と、中間転写ベルト３０を挟んで転写ロール５４と対向して配置される対向ロール５６と、を備えている。二次転写部３６では、中間転写ベルト３０に保持されている各色のトナー像が、搬送されている用紙Ｐに転写されるようになっている。
【００４２】
記録媒体搬送装置１８は、用紙Ｐが二次転写部３６のニップＮ１及び定着装置２０のニップＮ２を通過するように、用紙Ｐを搬送する機能を有する。記録媒体搬送装置１８は、複数の搬送ロール４４と、搬送ベルト４６と、を備えている。搬送ロール４４は、接触状態で配置された一対のロールで構成されている。搬送ロール４４は、記録媒体収容部１２に収容されている用紙Ｐを、搬送経路１８Ａに沿って搬送するようになっている。
【００４３】
搬送ベルト４６は、離れて配置された一対のロールに無端状のベルトが巻き掛けられた構成とされている。搬送ベルト４６は、用紙Ｐの搬送方向における二次転写部３６の下流側であって、定着装置２０の上流側に配置されている。搬送ベルト４６は、二次転写部３６でトナー像が転写された用紙Ｐを搬送経路１８Ａに沿って定着装置５０に搬送するようになっている。
【００４４】
定着装置２０は、転写装置１６により用紙Ｐに転写（二次転写）されたトナー像をニップＮ２で定着させる機能を有する。定着装置２０は、無端状のベルトが周回移動する加熱部６２と、加熱部６２に圧接される加圧ロール６４と、を備えている。加熱部６２と加圧ロール６４とのニップＮ２に用紙Ｐが搬送されることで、用紙Ｐ上のトナー像が加熱及び加圧により定着されるようになっている。
【００４５】
制御部７０は、画像形成装置１０の各部を制御する機能を有する。例えば、制御部７０は、外部装置（図示省略）から受け取った画像形成データに応じて、画像形成装置１０の各部を制御する（各部にそれぞれの動作をさせる）ようになっている。ここで、画像形成データには、各単色ユニット２１にトナー像を形成させる画像データ（画像情報）、その他の画像形成動作に必要なデータが含まれている。
【００４６】
また、画像形成装置１０は、中間転写ベルト３０の周回移動方向における単色ユニット２１ＣＴ、２１Ｙ、２１Ｍ、２１Ｃ、２１Ｋの下流側に、中間転写ベルト３０に転写されたトナー像の濃度を検出する濃度センサ７２を備えている。本実施形態では、濃度センサ７２として、発光素子及び受光素子を有する反射型の光学センサが用いられているが、これらに限定されず、トナー像の濃度を検出する他の既知のセンサを適用してもよい。
【００４７】
＜画像形成装置の動作＞
次に、画像形成装置１０の動作について説明する。
【００４８】
外部装置（図示省略）から画像形成データを受け取った制御部７０は、トナー像形成部１４、転写装置１６、記録媒体搬送装置１８及び定着装置２０を作動させる。トナー像形成部１４では、各帯電装置２４により各感光体２２が帯電され、各露光装置２６により各感光体２２が露光されることで静電潜像が形成され、各現像装置１００により各感光体２２の静電潜像がトナー像として現像される。その結果、各感光体２２には、各トナー像が形成される。例えば、単色ユニット２１ＣＴの特色トナーとして、白色（Ｗ）のトナーを用いる場合は、画像データの下地に対応したＷ色のトナー像が形成される。
【００４９】
次いで、各転写ロール３２に、電源（図示省略）から電圧（一次転写電圧）が印加される。また、駆動源（図示省略）により駆動される駆動ロール３８は、中間転写ベルト３０を矢印方向に周回させる。その結果、中間転写ベルト３０には、各色のトナー像が重ねて一次転写される。
【００５０】
さらに、周回する中間転写ベルト３０に保持されている各色のトナー像がニップＮ１に到達するタイミングに合わせて、記録媒体搬送装置１８は、ニップＮ１に用紙Ｐを送り込む。二次転写部３６では、対向ロール５６の外周に接触する給電ロール（図示省略）に、電源（図示省略）から電圧（二次転写電圧）が印加されることで、ニップＮ１を通過する用紙Ｐに各色のトナー像が二次転写される。
【００５１】
次いで、記録媒体搬送装置１８は、各色のトナー像が二次転写された用紙ＰをニップＮ２に送り込む。その結果、定着装置２０により、ニップＮ２を通過する用紙Ｐに各色のトナー像が定着されることで、用紙Ｐに画像が形成される。その後、用紙Ｐは、搬送ロール４４により排出部６６に排出される。
【００５２】
＜現像装置＞
次に、現像装置１００について説明する。
【００５３】
図２に示すように、現像装置１００は、現像剤Ｇが収容されたハウジング１０２と、現像剤Ｇが保持される現像ロール１０６と、現像ロール１０６の外周面の現像剤Ｇの層の厚みを規制する現像剤規制部材の一例としてのトリマー１０８と、現像剤攪拌搬送部１２５と、を有している。現像剤攪拌搬送部１２５は、第一攪拌搬送室１２３と、第一攪拌搬送室１２３に隣接する第二攪拌搬送室１２４と、を有している。また、第一攪拌搬送室１２３には第一オーガ１０９が設けられ、第二攪拌搬送室１２４には第二オーガ１１１が設けられている。
【００５４】
図２に示すように、現像剤Ｇは、一例として、負極性に帯電する帯電粒子の一例としてのトナーＴと、正極性に帯電する磁性粒子の一例としての磁性キャリアＣＡと、を含む２成分現像剤で構成されている。
【００５５】
ハウジング１０２は、容器本体１０３と、容器本体１０３の上部を塞ぐカバー部材１０４と、を含んで構成されている。また、ハウジング１０２は、現像ロール１０６が収容される現像ロール室１２２と、現像ロール室１２２の斜め下方側に設けられた現像剤攪拌搬送部１２５（第一攪拌搬送室１２３と第二攪拌搬送室１２４）と、を有している。
【００５６】
容器本体１０３は、第一攪拌搬送室１２３と第二攪拌搬送室１２４とを仕切る仕切壁１０３Ａを備えている。容器本体１０３には、仕切壁１０３ＡのＺ方向の両端部で第一攪拌搬送室１２３と第二攪拌搬送室１２４とに繋がる流入口（図示省略）が設けられている。
【００５７】
カバー部材１０４は、第二攪拌搬送室１２４上に配置される上壁１０４Ａと、上壁１０４Ａの左端部から左斜め上方へ延びて現像ロール室１２２を覆う傾斜壁１０４Ｂと、上壁１０４Ａの端部から下方に延びて容器本体１０３に嵌め込まれる嵌合部１０４Ｃと、を有している。傾斜壁１０４Ｂの内側面には、トリマー１０８が取り付けられている。
【００５８】
また、上壁１０４Ａには、第二攪拌搬送室１２４の上側に現像剤補給口１３６が設けられている。この現像剤補給口１３６には、新しいトナーＴを補給するための後述するトナー搬送部１５４（図４参照）の下端部が連結されている。
【００５９】
現像ロール１０６は、円柱状に形成されると共にシャフト１０６Ｃを介して容器本体１０３に固定支持されたマグネットロール１０６Ａと、マグネットロール１０６Ａの外側で周回移動可能に支持された円筒状の現像スリーブ１０６Ｂと、を有している。マグネットロール１０６Ａには、外周面（周方向）に沿って複数の磁極が設けられている。
【００６０】
第一攪拌搬送室１２３内の現像剤Ｇは、現像スリーブ１０６Ｂ上に保持された状態で、現像スリーブ１０６Ｂの＋Ｒ方向の回転により搬送される。そして、現像スリーブ１０６Ｂ上に保持された現像剤Ｇは、現像スリーブ１０６Ｂの外周面とトリマー１０８の先端部１０８Ａとの間へ進入することで層の厚みが規制され、感光体２２（図１参照）と対向する現像領域に搬送される。
【００６１】
第一オーガ１０９は、Ｚ方向に沿って配置された回転軸１０９Ａと、回転軸１０９Ａの外周に支持されたらせん状の搬送羽根１０９Ｂと、を備えている。第一オーガ１０９は、例えば、−Ｒ方向に回転することで、現像剤Ｇを攪拌しながら搬送する。
【００６２】
第二オーガ１１１は、Ｚ方向に沿って配置された回転軸１１１Ａと、回転軸１１１Ａの外周に支持されたらせん状の搬送羽根１１１Ｂと、を有している。第二オーガ１１１は、例えば、＋Ｒ方向に回転することで、第一オーガ１０９とは逆方向に現像剤Ｇを攪拌しながら搬送する。現像剤Ｇが撹拌されることで、トナーＴと磁性キャリアＣＡとの接触によりトナーが帯電する。第一オーガ１０９と第二オーガ１１１との回転により、第一攪拌搬送室１２３及び第二攪拌搬送室１２４の現像剤ＧがＺ軸方向に互いに逆方向に搬送され、現像剤Ｇが循環される。そして、第一オーガ１０９で搬送される現像剤Ｇが現像ロール１０６に供給される。
【００６３】
＜トナー補給装置＞
次に、トナー補給装置１５０について説明する。
【００６４】
図１に示されるように、画像形成装置１０は、それぞれ異なる色（Ｙ（イエロー）、Ｍ（マゼンタ）、Ｃ（シアン）、Ｋ（黒）、特色（ＣＴ））のトナーを単色ユニット２１Ｙ、２１Ｍ、２１Ｃ、２１Ｋ、２１ＣＴの現像装置１００に補給するトナー補給装置１５０Ｙ、１５０Ｍ、１５０Ｃ、１５０Ｋ、１５０ＣＴを備えている。トナー補給装置１５０Ｙ、１５０Ｍ、１５０Ｃ、１５０Ｋ、１５０ＣＴには、それぞれ異なる色（Ｙ（イエロー）、Ｍ（マゼンタ）、Ｃ（シアン）、Ｋ（黒）、特色（ＣＴ））のトナーを収容する複数のトナーカートリッジ１５２Ｙ、１５２Ｍ、１５２Ｃ、１５２Ｋ、１５２ＣＴが設けられている。ここで、トナー補給装置１５０Ｙ、１５０Ｍ、１５０Ｃ、１５０Ｋ、１５０ＣＴは、補給装置の一例である。トナー補給装置１５０Ｙ、１５０Ｍ、１５０Ｃ、１５０Ｋ、１５０ＣＴは、収容又は搬送されるトナーの色以外は同様の構成とされている。以下、トナー補給装置１５０Ｙ、１５０Ｍ、１５０Ｃ、１５０Ｋ、１５０ＣＴは、トナーの色を区別する必要がない場合、アルファベット（Ｙ、Ｍ、Ｃ、Ｋ、ＣＴ）を省略して説明する。
【００６５】
図２に示されるように、トナー補給装置１５０は、上述のトナーカートリッジ１５２と、トナーカートリッジ１５２の下部に連結されるトナー搬送部１５４と、を備えている。トナー搬送部１５４は、トナーカートリッジ１５２の軸方向の端部に連結されている。
【００６６】
トナーカートリッジ１５２は、筒状とされており、内部にトナーを搬送する搬送部材１５６を備えている。搬送部材１５６は、一例として、トナーカートリッジ１５２の軸方向に配置された回転軸１５６Ａと、回転軸１５６Ａの外周に支持されたらせん状の搬送羽根１５６Ｂと、を有している。搬送部材１５６は、回転軸１５６Ａの回転により、トナーカートリッジ１５２内のトナーをトナー搬送部１５４に向けて搬送する。
【００６７】
トナー搬送部１５４は、搬送方向の上流側端部がトナーカートリッジ１５２に連結されており、搬送方向の下流側端部が現像装置１００に連結されている。トナー搬送部１５４の下流側端部は、現像装置１００の第二攪拌搬送室１２４の長手方向（Ｚ方向）の上流側端部に連結されている。図示を省略するが、トナー搬送部１５４は、水平方向に沿って配置された搬送路を設け、その搬送路に、例えばトナーを搬送する搬送部材を設けてもよい。
【００６８】
＜画像形成装置１０の制御構成＞
次に、図３を参照して、画像形成装置１０の電気系の要部構成について説明する。
【００６９】
制御部７０は、例えば、コンピュータで実現可能である。
【００７０】
制御部７０は、ＣＰＵ（Central Processing Unit）２０１、ＲＯＭ（Read Only Memory）２０２、ＲＡＭ（Random Access Memory）２０３、及び入出力インターフェース（Ｉ／Ｏ）２０５が、バス２０６を介して各々接続される。
【００７１】
そして、Ｉ／Ｏ２０５には、画像形成ユニット駆動部２１０、用紙搬送モータ２１２、現像装置駆動部２１４、トナー補給駆動部２１６、操作表示部２１８、濃度センサ７２、及び通信回線Ｉ／Ｆ（Interface）２２０、湿度センサ２２２、カウント部２２４が接続されている。
【００７２】
制御部７０は、例えばＲＯＭ２０２に予めインストールされている制御プログラム２０２ＰをＣＰＵ２０１で実行し、制御プログラム２０２Ｐに従ってＩ／Ｏ２０５に接続される各要素とデータ通信を行うことで、画像形成装置１０を制御する。なお、図示を省略するが、制御部７０では、フラッシュメモリ等の不揮発性の記憶部がバス２０６を介して接続されていてもよい。
【００７３】
画像形成ユニット駆動部２１０は、トナー像形成部１４の各単色ユニット２１及び転写装置１６の各部に接続されている。画像形成ユニット駆動部２１０は、制御部７０からの指示を受け付けて各単色ユニット２１及び転写装置１６の各部を駆動する。例えば、画像形成ユニット駆動部２１０は、各単色ユニット２１及び転写装置１６の回転系を駆動することで、画像形成速度を制御する。
【００７４】
用紙搬送モータ２１２は、搬送ロール４４や搬送ベルト４６と例えばギヤ等の駆動機構を介して接続され、用紙搬送モータ２１２の駆動に伴い搬送ロール４４が回転すると共に、搬送ベルト４６が周回移動する。用紙搬送モータ２１２は、各単色ユニット２１及び転写装置１６による画像形成速度に合わせて、用紙Ｐの搬送速度を制御する。制御部７０は、画像形成ユニット駆動部２１０及び用紙搬送モータ２１２を制御することにより、画像形成速度を変更する速度変更手段として機能する。
【００７５】
現像装置駆動部２１４は、現像装置１００の各部に接続されている。現像装置駆動部２１４は、制御部７０からの指示を受け付けて現像装置１００の各部を駆動する。例えば、現像装置駆動部２１４は、現像ロール１０６、第一オーガ１０９及び第二オーガ１１１の回転を制御する。
【００７６】
トナー補給駆動部２１６は、トナー補給装置１５０の各部に接続されている。現像装置駆動部２１４は、制御部７０からの指示を受け付けて現像装置１００の各部を駆動する。例えば、トナー補給駆動部２１６は、トナー補給装置１５０の搬送部材１５６の回転を制御することで、現像装置１００に補給するトナーの補給量を調整する。
【００７７】
操作表示部２１８は、画像形成装置１０のユーザからの指示を受け付けると共に、ユーザに対して画像形成装置１０の動作状況等に関する各種情報を通知する。操作表示部１３０は、例えば、プログラムによって操作指示の受け付けを実現する表示ボタンや各種情報が表示されるタッチパネル式のディスプレイ、及び、テンキーやスタートボタンなどのハードウェアキー等を含む。
【００７８】
通信回線Ｉ／Ｆ２２０は、図示しない通信回線に接続され、通信回線に接続されている図示しないパーソナルコンピュータ等の情報機器と、データ通信を行うためのインターフェースである。この図示しない通信回線は、有線、無線、及び有線と無線の混在の何れの形態であってもよく、例えば、図示しない情報機器から画像形成データなどを受け付けるようにしてもよい。
【００７９】
湿度センサ２２２は、画像形成装置１０の内部に配置されており、画像形成装置１０の内部の相対湿度を検出する。制御部７０は、湿度センサ２２２により検出された相対湿度を取得する。
【００８０】
カウント部２２４は、操作表示部１３０で入力された入力情報又は外部装置（図示省略）から受け取った画像形成データ（画像情報を含む）に基づき、プリント枚数（画像形成枚数）又はピクセル（像密度）をカウントする。制御部７０は、カウント部２２４でカウントされたプリント枚数（画像形成枚数）又はピクセル（像密度）の情報を取得する。
【００８１】
濃度センサ７２は、前述のように、中間転写ベルト３０に転写されたトナー像の濃度を検出する。制御部７０は、濃度センサ７２により検出されたトナー像の濃度を示す濃度値を取得する。
【００８２】
画像形成装置１０では、トナー像形成部１４によって定められた濃度の基準トナー像からなるパッチ画像を形成し、中間転写ベルト３０に転写されたパッチ画像のトナー像濃度を濃度センサ７２により検出する。制御部７０は、濃度センサ７２により検出されたパッチ画像のトナー像濃度に基づいて、現像装置１００内のトナー濃度を検出する。さらに、制御部７０は、現像装置１００内のトナー濃度の検出値と、定められた現像装置１００内のトナー濃度の制御目標値とを比較し、現像装置１００内のトナー濃度の検出値が定められた現像装置１００内のトナー濃度の制御目標値よりも高いか低いかを判定する。そして、現像装置１００内のトナー濃度の検出値が定められた現像装置１００内のトナー濃度の制御目標値よりも低い場合は、トナー補給装置１５０による現像装置１００へのトナーの補給量を調整することで、現像装置１００内のトナー濃度を制御する。本実施形態では、一例として、トナー補給装置１５０の搬送部材１５６の回転数を制御することで、現像装置１００へのトナーの補給量が調整される。ここで、現像装置１００内のトナー濃度は、トナーとキャリアの全質量に対するトナーの質量の割合（％）である。
【００８３】
以上の要素を含む画像形成装置１０の処理は、制御プログラム２０２Ｐを実行することにより、制御部７０を備えたコンピュータを利用してソフトウエアにより実現することができる。
【００８４】
なお、制御プログラム２０２Ｐは、ＲＯＭ２０２に予めインストールされて提供される形態に限られず、ＣＤ−ＲＯＭやメモリカード等のコンピュータ読み取り可能な記録媒体に格納された状態で提供される形態であってもよい。また、通信回線Ｉ／Ｆ２２０を経由して配信される形態等であってもよい。
【００８５】
ここで、本実施の形態において、単色ユニット２１ＣＴの特色（ＣＴ）トナーとして、白色（Ｗ）のトナーの他、クリア（ＣＲ）トナー、又は、金、銀トナーなどの装飾アピール用のトナーを用いる場合などがある。特色（ＣＴ）トナーは、Ｙ（イエロー）、Ｍ（マゼンタ）、Ｃ（シアン）、Ｋ（黒）の通常色のトナーと使われ方が異なり、装飾アピール等としての用途が求められるため、通常色のトナー付着量よりも高い高トナー付着量が求められる。このため、現像装置１００内のトナー濃度は高い状態で使われる必要があるため、トナーの帯電量が低下することにより、トナーの飛散（クラウド）や用紙Ｐの地肌汚れ（かぶり）が課題となる。また、特色トナー以外の通常色のトナーの場合でも、高トナー付着量が求められることがあり、同様の課題が発生する。そこで、本実施形態の画像形成装置１０では、高トナー付着量が求められる場合に、画像形成装置１０の画像形成動作の速度（画像形成速度）を通常の画像形成動作の速度よりも低速にする特定機能が搭載されている。
【００８６】
画像形成装置１０では、上記特定機能を実現するために、動作モードとして、通常のトナー付着量のトナー像を形成する通常モードとは別に、単色ユニット２１の少なくとも１つが高トナー付着量でトナー像を形成する高現像モードを備えている。
【００８７】
高現像モードでは、通常モードでの現像装置１００内のトナー濃度の制御目標値よりも、高トナー付着量が求められる色（対応する色）の単色ユニット２１の現像装置１００内のトナー濃度が高い制御目標値に変更される。通常モードでの現像装置１００内のトナー濃度の制御目標値、及び高現像モードでの対応する色の単色ユニット２１の現像装置１００内のトナー濃度の制御目標値（高い制御目標値）は、例えば、制御部７０のＲＯＭ２０２などに予め記憶されている。ここで、制御目標値は、設定値の一例である。また、制御部７０は、現像装置１００内のトナー濃度の制御目標値を変更する濃度変更手段として機能する。
【００８８】
画像形成装置１０では、高現像モードで対向する色の単色ユニット２１の現像装置１００内のトナー濃度の制御目標値が変更されたときは、制御部７０により、対応する色のトナー補給装置１５０の搬送部材１５６を駆動し、新しいトナーを現像装置１００に補給する。
【００８９】
また、画像形成装置１０では、制御部７０により、画像形成装置１０の動作環境（例えば、相対湿度）、又は現像剤の経時変化（例えば、現像剤ライフ残量）に応じて、画像形成速度を通常モードの画像形成速度よりも低速に変更するか否かを決定する。一般的に、相対湿度が高くなると、トナーの飛散（クラウド）が発生しやすくなる。このため、画像形成装置１０では、制御部７０により、例えば湿度センサ２２２で検出された相対湿度が第１閾値（例えば、６０％）以上のときに、画像形成速度を通常モードの画像形成速度よりも低速に変更する。本実施形態では、制御部７０は、相対湿度が第１閾値（例えば、６０％）以上のときに、相対湿度が高いと判定する。これにより、相対湿度に応じて、高現像モードの判断基準が変わる。制御部７０は、相対湿度が第１閾値（例えば、６０％）より小さいときは、画像形成速度を低速に変更せず、通常モードの画像形成速度に維持する。
【００９０】
また、現像装置１００内の現像剤の使用時間が長くなると、現像剤の経時変化によりトナーの帯電量が低下し、トナーの飛散（クラウド）が発生しやすくなる。このため、画像形成装置１０では、制御部７０により、例えば、使用可能なプリント枚数（画像形成枚数）又はピクセルカウント（累積像密度）に対して、実際にプリントを実行した累積プリント枚数（累積画像形成枚数）又はピクセルカウント（累積像密度）から現像剤ライフの残量（％）を算出する。実際にプリントを実行した累積プリント枚数（累積画像形成枚数）又はピクセルカウント（累積像密度）は、カウント部２２４でカウントされる。そして、制御部７０により、例えば、現像剤ライフの残量が第２閾値（例えば、残５０％）以下のときに、画像形成速度を通常モードの画像形成速度よりも低速に変更する。これにより、現像剤ライフの残量に応じて、高現像モードの判断基準が変わる。制御部７０は、現像剤ライフの残量が第２閾値（例えば、残５０％）より大きいときは、画像形成速度を低速に変更せず、通常モードの画像形成速度に維持する。ここで、現像剤ライフ残量は、現像剤の寿命の一例である。
【００９１】
制御部７０には、予め実験により現像装置１００内のトナー濃度と画像形成速度とを変更してトナーの飛散（クラウド）を測定した結果に基づき、高現像モードでの画像形成動作の速度変更関数が記憶されている。制御部７０は、速度変更関数に基づき、高現像モードでの画像形成速度を低速（例えば、通常モードの画像形成速度の半分の速度）に変更する。また、現像装置１００内のトナー濃度の高さに応じて、高現像モードでの画像形成速度を段階的に低速にしてもよい。
【００９２】
画像形成装置１０の画像形成速度を低速にする際には、現像装置１００の現像ロール１０６、第一オーガ１０９及び第二オーガ１１１の回転速度を低速にしてもよい（駆動回転数を落としてもよい）。低速にする際に、現像装置１００の第一オーガ１０９及び第二オーガ１１１の撹拌速度（回転速度）を落とすだけでなく、画像形成速度も落ちることで、撹拌時間当たりの画像形成枚数が見かけ上低速前と同じになり、トナーの帯電性の低下が防止又は抑制される。
【００９３】
通常モードと高現像モードの設定や切り替えは、例えば、操作表示部２１８でユーザが入力指示してもよいし、また、写真（Photo）モードのとき、特色（ＣＴ）トナーが使用されるとき、又は高像密度画像のプリント時に制御部７０が高現像モードに切り替えてもよい。また、特色（ＣＴ）トナーとして、例えば、クリア（ＣＲ）トナーによる全面高光沢プリント、白（Ｗ）トナーによる透明フィルム媒体又は黒色記録媒体への高隠蔽率要求のプリントが指示されたときは、高現像モードに切り替える。
【００９４】
画像形成装置１０では、高現像モードから通常モードに切り替えられたときは、現像装置１００からのトナーの吐き出しによるトナー濃度調整を実行しない。また、画像形成装置１０では、高現像モードから通常モードに切り替えられたときは、制御部７０により、切り替え後の画像形成枚数が第３閾値以上となるまで（例えば、切り替え後に閾値ピクセル（像密度）以上プリントされるまで）は、画像形成装置１０の画像形成速度を低速に維持して画像形成動作を行う。すなわち、切り替え後の画像形成枚数が第３閾値以上となるまでプリントを実行し、定められた量のトナーが消費されるまでは、画像形成速度を通常の速度に戻さない。
【００９５】
次に、図４を参照して、上記特定機能を実施する場合における画像形成装置１０の作用を説明する。
【００９６】
図４は、本実施形態に係る画像形成装置１０による画像形成速度の制御の流れを示すフローチャートである。
【００９７】
図４に示されるように、制御部７０のＣＰＵ２０１は、ステップＳ３００でプリント開始指示が有るか否かを判定し、否定判定された場合は、このルーチンは終了する。
【００９８】
また、ＣＰＵ２０１は、ステップＳ３００で肯定判定されると、ステップＳ３０２へ移行して、高現像モードの指示が有るか否かを判定する。高現像モードの指示としては、例えば、操作表示部２１８でユーザが入力指示した場合、写真（Photo）モードや特色（ＣＴ）トナーが使用されるときにＣＰＵ２０１が高現像モードを設定した場合などが含まれる。また、画像形成装置１０では、複数の単色ユニット２１の少なくとも１つが高トナー付着量でトナー像を形成するときに、高現像モードの指示が有ると判定する。
【００９９】
また、ＣＰＵ２０１は、ステップＳ３０２で肯定判定されると、ステップＳ３０４へ移行して、高現像モードの指示が有る色の単色ユニット２１の現像装置１００内のトナー濃度の制御目標値を変更する。一例として、ＣＰＵ２０１は、通常モードでの現像装置１００内のトナー濃度の制御目標値が４〜１０％の場合、この制御目標値に対して現像装置１００内のトナー濃度の制御目標値を１〜２％引き上げる。
【０１００】
次いで、ＣＰＵ２０１は、ステップＳ３０６に移行して、湿度センサ２２２で検出された相対湿度が第１閾値（例えば、６０％）以上であるか否かを判定する。
【０１０１】
また、ＣＰＵ２０１は、ステップＳ３０６で肯定判定されると、ステップＳ３０８へ移行して、高現像モードの指示が有る色の単色ユニット２１の現像装置１００の現像剤ライフの残量が第２閾値（例えば、残５０％）以下であるか否かを判定する。現像剤ライフの残量は、ＣＰＵ２０１により、実際にプリントを実行した累積プリント枚数（累積画像形成枚数）又はピクセルカウント（累積像密度）から算出される。実際にプリントを実行した累積プリント枚数（累積画像形成枚数）又はピクセルカウント（累積像密度）は、カウント部２２４でカウントされる。
【０１０２】
また、ＣＰＵ２０１は、ステップＳ３０８で肯定判定されると、ステップＳ３１０へ移行して、画像形成装置１０の画像形成速度を低速で動作する。すなわち、画像形成装置１０では、前処理として現像装置１００にトナーを補給する前に、画像形成速度を低速に変更する。
【０１０３】
次いで、ＣＰＵ２０１は、ステップＳ３１２に移行して、高現像モードの指示が有る色の単色ユニット２１の現像装置１００へのトナー補給を実行する。すなわち、画像形成装置１０では、プリント実行の前処理として、現像装置１００にトナーを補給する。具体的には、高現像モードの指示が有る色のトナー補給装置１５０の搬送部材１５６を駆動し、現像装置１００にトナーを補給する。このとき、ＣＰＵ２０１は、現像装置１００の第一オーガ１０９及び第二オーガ１１１（図２参照）も回転する。
【０１０４】
また、ＣＰＵ２０１は、ステップＳ３０６で否定判定された場合、又はステップＳ３０８で否定判定された場合は、ステップＳ３１４へ移行して、画像形成装置１０を通常速（通常の画像形成速度）で動作する。ＣＰＵ２０１は、ステップＳ３１４の後にステップＳ３１２に移行する。
【０１０５】
ＣＰＵ２０１は、上記のステップＳ３１２の後にステップＳ３１６に移行して、高現像モードの指示が有る色の単色ユニット２１の現像装置１００内のトナー濃度が制御目標値に到達したか否かを判定する。そして、該判定が肯定されるまで待機してステップＳ３１８に移行する。ＣＰＵ２０１は、ステップＳ３１８で現像装置１００内のトナー濃度の調整動作を終了する。
【０１０６】
次いで、ＣＰＵ２０１は、ステップＳ３２０に移行して、画像形成装置１０によるプリントを実行し、このルーチンは終了する。
【０１０７】
また、ＣＰＵ２０１は、ステップＳ３０２で否定判定された場合はステップＳ３２２に移行して、通常モードで閾値ピクセル（像密度）以上プリントされているか否かを判定する。ここで、閾値ピクセル（像密度）は、高現像モードから通常モードに戻ったときからカウントされるピクセル（像密度）である。閾値ピクセル（像密度）は、切り替え後の画像形成枚数の第３閾値と対応する値である。
【０１０８】
ＣＰＵ２０１は、ステップＳ３２２で肯定判定されると、ステップＳ３２４へ移行して、画像形成装置１０を通常速（通常の画像形成速度）で動作する。次いで、ＣＰＵ２０１は、ステップＳ３２０に移行して、画像形成装置１０によるプリントを実行する。
【０１０９】
また、ＣＰＵ２０１は、ステップＳ３２２で否定判定された場合はステップＳ３２６に移行して、前回プリント時の画像形成速度は通常速（通常の速度）であるか否かを判定する。
【０１１０】
ＣＰＵ２０１は、ステップＳ３２６で肯定判定されると、ステップＳ３２４へ移行して、画像形成装置１０を通常速（通常の画像形成速度）で動作する。
【０１１１】
また、ＣＰＵ２０１は、ステップＳ３２６で否定判定された場合はステップＳ３２８に移行して、画像形成装置１０の画像形成速度を低速で動作する。すなわち、ステップＳ３２６で否定判定される場合は、前回のプリント時の画像形成速度を低速にした場合である。次いで、ＣＰＵ２０１は、ステップＳ３２０に移行して、画像形成装置１０によるプリントを実行する。例えば、高現像モードから通常モードに切り替えられた場合は、閾値ピクセル（像密度）以上プリントされるまでは、画像形成装置１０の画像形成速度を低速で動作する。すなわち、前回の高現像モードの指示により、現像装置１００内のトナー濃度を上昇させた状態から通常モードに戻した場合でも、閾値ピクセル（像密度）以上プリントして現像装置１００内のトナー濃度が低下するまでは、画像形成装置１０を通常速（通常の画像形成速度）に戻さない。
【０１１２】
上記の画像形成装置１０では、複数の単色ユニット２１の少なくとも１つが高現像モードのときに、定められた条件で、通常モードの画像形成動作の速度に比べて画像形成動作の速度を低速に変更する。高現像モードでは、トナー補給装置１５０によって新たなトナーが現像装置１００に補給されることで、通常モードに比べてトナーが低帯電状態で使用される。その際、画像形成動作の速度を低速にすることで、撹拌時間がのびてトナーの帯電が戻りやすくなり、また、トナーに撹拌部材の羽根（本実施形態では、搬送部材１５６、第一オーガ１０９及び第二オーガ１１１の搬送羽根）が当たる速度が遅くなり、画像形成動作中にトナーが飛散しにくくなる。
【０１１３】
図５は、現像剤の経時によるクラウドグレードと、ピクセルカウント（累積像密度）との関係を示すグラフである。図５では、ＡＣ（Area Coverage）は、単位面積当たりのトナーの消費量（トナー像濃度）を示しており、単位面積当たりのトナーの消費量（トナー像濃度）から現像装置１００内のトナー濃度が検出される。すなわち、単位面積当たりのトナーの消費量（トナー像濃度）は、現像装置１００内のトナー濃度（トナー供給量）に対応する値である。クラウドグレードは、数値が高くなるにしたがってトナーのクラウド量が多くなる。クラウドグレードが０以上３以下は、許容範囲であり、トナーのクラウド（飛散）による汚れが目立ちにくい。また、ＡＣ３０％半速は、画像形成装置１０の画像形成速度を通常の画像形成速度の半分の速度としている。ＡＣ３０％半速以外は、画像形成装置１０の画像形成速度を通常の速度としている。
【０１１４】
図５に示されるように、ＡＣ３０％で画像形成装置１０の画像形成速度が通常の速度の場合は、トナーのクラウド量が許容範囲を超えている。これに対し、ＡＣ３０％で画像形成装置１０の画像形成速度を通常の画像形成速度の半分の速度とした場合は、トナーのクラウド量が許容範囲まで減少することがわかる。
【０１１５】
上記の画像形成装置１０では、高トナー付着量が要求されるときに現像装置の駆動回転数又は画像形成動作の速度を通常と同じ速度に維持する構成と比較して、トナーの飛散が抑制され、ひいては用紙Ｐへの地肌汚れ（かぶり）が抑制される。
【０１１６】
また、画像形成装置１０では、高現像モードのときに、現像装置１００内のトナー濃度を高い制御目標値（設定値）に変更する。このため、画像形成装置１０では、高トナー付着量が要求されるときにトナー濃度の設定値を変えない構成と比較して、画像形成枚数の低下が抑制される。すなわち、画像形成装置１０の生産性の低下が抑制される。
【０１１７】
また、画像形成装置１０では、高現像モードのときに、相対湿度に応じて現像装置１００の駆動回転数又は画像形成動作の速度を低速に変更する。すなわち、画像形成動作の速度を低速にする条件を限定する。このため、画像形成装置１０では、相対湿度に関係なく現像装置の駆動回転数又は画像形成動作の速度を低速に変更する構成と比較して、画像形成枚数の低下が抑制される。
【０１１８】
本実施形態では、高現像モードで相対湿度が第１閾値（例えば、６０％）より小さいときに、画像形成動作の速度を低速に変更しない。すなわち、画像形成動作の速度を通常モードの速度に維持する。このため、画像形成装置１０では、相対湿度が低いときに現像装置の駆動回転数又は画像形成動作の速度を低速に変更する構成と比較して、画像形成枚数の低下が抑制される。
【０１１９】
また、画像形成装置１０では、高現像モードのときに、現像剤の経時状況に応じて画像形成動作の速度を低速に変更する。すなわち、画像形成動作の速度を低速にする条件を限定する。このため、画像形成装置１０では、現像剤の経時状況に関係なく現像装置の駆動回転数又は画像形成動作の速度を低速に変更する構成と比較して、画像形成枚数の低下が抑制される。
【０１２０】
本実施形態では、高現像モードで現像剤ライフ（現像剤の寿命）の残量が第２閾値（例えば、５０％）より長いときに、画像形成動作の速度を低速に変更しない。すなわち、画像形成動作の速度を通常モードの速度に維持する。このため、画像形成装置１０では、現像剤の寿命が長いときに現像装置の駆動回転数又は画像形成動作の速度を低速に変更する構成と比較して、画像形成枚数の低下が抑制される。
【０１２１】
また、画像形成装置１０では、通常モードから高現像モードに切り替えられたときに、前処理として現像装置１００にトナーを補給した後に、画像形成動作としてのプリントを実行する。このため、画像形成装置１０では、現像装置にトナーを補給する前に画像形成動作を行う場合と比較して、画像形成枚数の低下が抑制される。
【０１２２】
また、画像形成装置１０では、前処理として現像装置１００にトナーを補給する前に、画像形成動作の速度を低速に変更する。これにより、トナー補給装置１５０から現像装置１００へのトナー補給時に、トナーが飛散しにくくなる。このため、画像形成装置１０では、現像装置にトナーを補給する前には現像装置の駆動回転数又は画像形成動作の速度を変更しない構成と比較して、前処理でのトナーの飛散が抑制される。
【０１２３】
また、画像形成装置１０では、高現像モードから通常モードに切り替えられたときは、現像装置１００からのトナーの吐き出しによるトナー濃度調整を実行しない。このため、画像形成装置１０では、高現像モードから通常モードに切り替えられたときに現像装置からのトナーの吐き出しを行う構成と比較して、無駄なトナー消費が抑制される。
【０１２４】
また、画像形成装置１０では、高現像モードから通常モードに切り替えられたときは、切り替え後に閾値ピクセル（像密度）以上プリントされるまでは、画像形成装置１０の画像形成速度を低速に維持して画像形成動作を行う。このため、画像形成装置１０では、高現像モードから通常モードに切り替えられるのと同時に現像装置の駆動回転数又は画像形成動作の速度を通常の速度に戻す場合と比較して、トナーの飛散が抑制される。
【０１２５】
なお、上記実施形態の画像形成装置１０では、高現像モードのときに、通常モード時に比べて画像形成装置１０の画像形成動作の速度を低速に変更したが、本発明はこれに限定するものでなない。例えば、高現像モードのときに、通常モード時に比べて現像装置の駆動回転数（例えば、現像ロール１０６、第一オーガ１０９及び第二オーガ１１１の回転）を低速に変更する構成でもよい。
【０１２６】
また、上記実施形態では、複数の単色ユニット２１の少なくとも１つが高現像モードでトナー像を形成する例を示したが、本発明はこれに限定するものではない。例えば、特色の単色ユニット２１ＣＴのみが高現像モードでトナー像を形成するときに、定められた条件で、通常モード時に比べて画像形成装置の画像形成動作の速度を低速に変更してもよい。また、これに代えて、特色の単色ユニット２１ＣＴのみが高現像モードでトナー像を形成するときに、画像形成動作の速度を維持したままで特色の単色ユニット２１ＣＴの現像装置１００の駆動回転数のみを低速に変更してもよい。この画像形成装置では、特色画像形成部によりトナー像を形成するときに現像装置の駆動回転数又は画像形成動作の速度を通常と同じ速度に維持する場合と比較して、特色トナーの飛散が抑制される。さらに、この画像形成装置では、全色の画像形成動作を低速にする場合と比較して、画像形成枚数の低下が抑制される。
【０１２７】
また、上記実施形態では、特色の単色ユニット２１ＣＴが他の単色ユニット２１Ｙ、２１Ｍ、２１Ｃ、２１Ｋよりも中間転写ベルト３０の周回移動方向の上流側に配置されていたが、本発明はこれに限定するものではなく、特色の単色ユニット２１ＣＴの位置や数は変更可能である。例えば、特色の単色ユニット２１ＣＴを他の単色ユニット２１Ｙ、２１Ｍ、２１Ｃ、２１Ｋよりも中間転写ベルト３０の周回移動方向の下流側に配置してもよい。また、特色の単色ユニット２１ＣＴを２つ以上配置する構成でもよい。
【０１２８】
また、上記実施形態では、現像装置１００の一例、トナー補給装置１５０の一例が記載されているが、本発明はこれらに限定されず、現像装置の構成及びトナー補給装置の構成は変更可能である。
【０１２９】
なお、本発明を特定の実施形態について詳細に説明したが、本発明はかかる実施形態に限定されるものではなく、本発明の範囲内にて他の種々の実施形態が可能であることは当業者にとって明らかである。
【符号の説明】
【０１３０】
１０   画像形成装置
２１   単色ユニット（画像形成部の一例）
２１ＣＴ      特色の単色ユニット（特色画像形成部の一例）
７０   制御部（速度変更手段の一例、濃度変更手段の一例）
１００ 現像装置
１５０ トナー補給装置（補給装置の一例）
２０２Ｐ      制御プログラム
Ｔ     トナー
【図１】
2020046616.tif 000003
【図２】
2020046616.tif 000004
【図３】
2020046616.tif 000005
【図４】
2020046616.tif 000006
【図５】
2020046616.tif 000007